(57)【要約】【課題】平板部を有する第一部材とフランジ部を有する第二部材とを、平板部の厚さにかかわらず連結する。【解決手段】平板状に形成されるブラケット４を有する制振ダンパ５と、ブラケット４の端面に対峙するフランジ部８を有する構造物１との間に介在してブラケット４とフランジ部８とを連結する調整ブラケット１００であって、互いに対向して設けられる一対のブラケット部材１０と、一対のブラケット部材１０の間に挟持されるキー部材２０とを備え、一対のブラケット部材１０は、フランジ部８に取り付けられるフランジ取付部１１と、フランジ取付部１１に連結され、互いに対向してブラケット４を挟持する平板挟持部１２と、フランジ部８と当接する面に凹状に形成され、互いに対向してキー部材２０を挟持するキー溝部１３と、を備え、平板挟持部１２の相互間隔は、キー部材２０の幅によって調整される。【選択図】図２
2012202155.tif 000002
【特許請求の範囲】
【請求項１】
平板状に形成される平板部を有する第一部材と、前記平板部の端面に対峙するフランジ部を有する第二部材と、の間に介在して前記平板部と前記フランジ部とを連結する調整ブラケットであって、
互いに対向して設けられる一対のブラケット部材と、
前記一対のブラケット部材の間に挟持されるキー部材と、を備え、
前記一対のブラケット部材は、
前記フランジ部に取り付けられるフランジ取付部と、
前記フランジ取付部に連結され、互いに対向して前記平板部を挟持する平板挟持部と、
前記フランジ部と当接する面に凹状に形成され、互いに対向して前記キー部材を挟持するキー溝部と、を備え、
前記平板挟持部の相互間隔は、前記キー部材の幅によって調整されることを特徴とする調整ブラケット。
【請求項２】
前記一対のフランジ取付部は、前記フランジ部と当接する当接面と、互いに対向する対向面と、を有し、
前記平板挟持部は、前記フランジ取付部における前記当接面と反対側の面に連結され、
前記キー溝部は、前記フランジ取付部における前記当接面と前記対向面との間に形成されることを特徴とする請求項１に記載の調整ブラケット。
【請求項３】
前記一対のブラケット部材における前記フランジ取付部の前記当接面が当接して、当該フランジ取付部を同一平面上に固定する固定板を更に備え、
前記キー部材は、前記固定板に固定されることを特徴とする請求項１又は２に記載の調整ブラケット。
【発明の詳細な説明】
【技術分野】
【０００１】
本発明は、取り付けられる部材に応じて調整可能な調整ブラケットに関するものである。
【背景技術】
【０００２】
従来から、建物の構造部材に取り付けられ、地震などによって建物が振動したときにエネルギを吸収する制振ダンパが知られている。
【０００３】
特許文献１には、建物の縦材と横材との結合部のブラケットにピンを用いて固定される取付部が両端に形成された制振ダンパが開示されている。この制振ダンパは、縦材と横材とによって形成される矩形の枠の対角線上に取り付けられ、地震などによって枠が歪んだときに伸縮して、エネルギを吸収するものである。
【０００４】
このような制振ダンパには、特許文献１のようにピンを用いてブラケットに固定可能なものの他に、取付部として両端にフランジが形成されるものがある。
【先行技術文献】
【特許文献】
【０００５】
【特許文献１】特開２０１０−２０３１６４号公報
【発明の概要】
【発明が解決しようとする課題】
【０００６】
しかしながら、両端にフランジが形成される制振ダンパを用いた場合には、建物の縦材と横材との結合部のブラケットに制振ダンパを直接連結することができず、ブラケットなど他の部材を介して連結する必要がある。
【０００７】
本発明は、上記の問題点に鑑みてなされたものであり、平板部を有する第一部材とフランジ部を有する第二部材とを、平板部の厚さにかかわらず連結可能な調整ブラケットを提供することを目的とする。
【課題を解決するための手段】
【０００８】
本発明は、平板状に形成される平板部を有する第一部材と、前記平板部の端面に対峙するフランジ部を有する第二部材と、の間に介在して前記平板部と前記フランジ部とを連結する調整ブラケットであって、互いに対向して設けられる一対のブラケット部材と、前記一対のブラケット部材の間に挟持されるキー部材と、を備え、前記一対のブラケット部材は、前記フランジ部に取り付けられるフランジ取付部と、前記フランジ取付部に連結され、互いに対向して前記平板部を挟持する平板挟持部と、前記フランジ部と当接する面に凹状に形成され、互いに対向して前記キー部材を挟持するキー溝部と、を備え、前記平板挟持部の相互間隔は、前記キー部材の幅によって調整されることを特徴とする。
【発明の効果】
【０００９】
本発明では、第一部材の平板部を挟持する平板挟持部と第二部材のフランジ部に取り付けられるフランジ取付部とを備える一対のブラケット部材によって第一部材と第二部材とが連結される。一対のブラケット部材の間にはキー部材が狭持される。よって、キー部材の幅を平板部の厚さに応じて変更することで、平板挟持部の相互間隔を平板部の厚さと同一に調整することができる。したがって、平板部を有する第一部材とフランジ部を有する第二部材とを、平板部の厚さにかかわらず連結可能となる。
【図面の簡単な説明】
【００１０】
【図１】本発明の実施の形態に係る調整ブラケットが取り付けられる構造物及び制振ダンパの側面図である。
【図２】本発明の実施の形態に係る調整ブラケットの正面図である。
【図３】図２における側面図である。
【図４】図２における底面図である。
【図５】本発明の変形例に係る調整ブラケットの側面図である。
【発明を実施するための形態】
【００１１】
以下、図面を参照して、本発明の実施の形態について説明する。
【００１２】
まず、図１を参照して、本発明の実施の形態に係る調整ブラケット１００が取り付けられる第一部材としての構造物１と、第二部材としての制振ダンパ５とについて説明する。
【００１３】
構造物１は、一対の柱２と一対の梁３とを備え、矩形の格子状に形成される。構造物１は、柱２と梁３とが交差する角部に形成される平板部としてのブラケット４を有する。
【００１４】
ブラケット４は、構造物１における対角線上に各々設けられる。ブラケット４は、板金材料で形成されるため、その厚さにばらつきが生じる場合がある。一対のブラケット４の間には、制振ダンパ５が調整ブラケット１００を介して取り付けられる。
【００１５】
制振ダンパ５は、粘性流体が封入されるシリンダ６と、シリンダ６に対して進退自在に設けられるピストンロッド７と、シリンダ６とピストンロッド７との各々の自由端に形成されるフランジ部８とを有する。制振ダンパ５は、シリンダ６に対するピストンロッド７の進退を、シリンダ６に封入された粘性流体によって減衰して、地震などによって構造物１に作用するエネルギを吸収するものである。
【００１６】
フランジ部８は、その当接面８ａが、ブラケット４の端面４ａに対峙するように形成される。フランジ部８は、ブラケット４から所定の距離だけ離間して設けられ、ブラケット４に対して直交するように形成される。フランジ部８は、調整ブラケット１００を介してブラケット４と連結される。
【００１７】
次に、図２から図４を参照して、調整ブラケット１００について説明する。図４では、調整ブラケット１００の構成を分かりやすくするために、ブラケット４とボルト１８とを省略している。
【００１８】
調整ブラケット１００は、構造物１と制振ダンパ５との間に介在し、構造物１のブラケット４と、制振ダンパ５のフランジ部８とを連結するＬ字形のブラケットである。調整ブラケット１００は、互いに対向して設けられる一対のブラケット部材１０と、一対のブラケット部材１０の間に挟持されるキー部材２０とを備える。
【００１９】
一対のブラケット部材１０は、フランジ部８に取り付けられるフランジ取付部１１と、フランジ取付部１１に連結されてブラケット４を狭持する平板挟持部１２と、フランジ部８と当接する面に凹状に形成されるキー溝部１３とを各々備える。
【００２０】
フランジ取付部１１は、フランジ部８と当接する当接面１１ａと、互いに対向する対向面１１ｂとを有する。フランジ取付部１１は、その当接面１１ａが、フランジ部８と平行となるように形成される。
【００２１】
当接面１１ａは、制振ダンパ５に取り付けられたときにフランジ部８に当接する。フランジ取付部１１は、当接面１１ａがフランジ部８と面接触した状態で、複数のボルト１７により締結されることによってフランジ部８に取り付けられる。
【００２２】
一対のフランジ取付部１１は、互いに間をあけて形成され、相互間でキー部材２０を挟持する。一対のフランジ取付部１１は、キー部材２０を狭持した状態で、対向する互いの対向面１１ｂに間隔が空くように形成される。
【００２３】
平板挟持部１２は、フランジ取付部１１と直交するように形成される。平板挟持部１２は、フランジ取付部１１における当接面１１ａと反対側の面に連結される。一対の平板挟持部１２は、互いに対向して設けられてブラケット４を狭持する。一対の平板挟持部１２は、キー部材２０によってブラケット４に対応した間隔に調整される。これにより、平板挟持部１２とブラケット４とはぴったりと当接して摩擦接合され、平板挟持部１２とブラケット４との間の摩擦力によって力が伝達されることとなる。
【００２４】
一対の平板挟持部１２は、ブラケット４に形成された貫通孔を通過する複数のボルト１８の締結によってブラケット４と摩擦接合された状態で固定される。
【００２５】
フランジ取付部１１と平板挟持部１２との間は、複数のリブ１５が取り付けられて補強される。これにより、構造物１と制振ダンパ５との間に作用する引張荷重や圧縮荷重によるブラケット部材１０の変形が抑制される。
【００２６】
以上のように、構造物１のブラケット４を挟持する平板挟持部１２と、制振ダンパ５のフランジ部８に取り付けられるフランジ取付部１１とを備える一対のブラケット部材１０によって、構造物１と制振ダンパ５とが連結される。
【００２７】
キー溝部１３は、当接面１１ａと対向面１１ｂとの間に形成される。即ち、キー溝部１３は、当接面１１ａと対向面１１ｂとを各々延長した平面どうしが交差する角から凹状に形成される。キー溝部１３は、互いに対向して形成され、キー部材２０を挟持する。
【００２８】
キー溝部１３におけるフランジ部８に当接する面からの深さ（図２では上下方向）は、キー部材２０の厚さと比較して大きく形成される。これにより、キー部材２０がキー溝部１３からフランジ部８側にはみ出すことはなく、フランジ取付部１１とフランジ部８とを確実に当接させることができる。
【００２９】
なお、本実施の形態では、キー溝部１３をフランジ取付部１１に形成しているが、フランジ取付部１１の対向面１１ｂに平板挟持部１２を連結してＬ字形のブラケット部材１０を形成し、キー溝部１３を平板挟持部１２の角部に形成しても良い。
【００３０】
キー部材２０は、その幅方向（図２では左右方向）から一対のフランジ取付部１１によって挟持される。キー部材２０が挟持された状態では、一対のフランジ取付部１１の相互間は離間している。つまり、一対のフランジ取付部１１は、キー部材２０を介してのみ当接している。キー部材２０の長さ（図２では紙面垂直方向）は、フランジ取付部１１と略同一の長さに形成される。
【００３１】
キー部材２０は、平板挟持部１２の相互間隔がブラケット４の厚さと同一になるようにその幅が変更される。これにより、キー溝部１３の大きさを変更せずに、キー部材２０の幅のみを変更することで、一対の平板挟持部１２の相互間隔をブラケット４の厚さに応じて調整できる。なお、キー部材２０の幅の変更は、調整ブラケット１００が取り付けられる個々のブラケット４の厚さの相違に応じて、各々のブラケット４に対応する幅に予め加工したものを用意しておき、そのブラケット４に対応する幅のものを選択することによって行われる。
【００３２】
したがって、ブラケット４を有する構造物１とフランジ部８を有する制振ダンパ５とを、ブラケット４の厚さにかかわらず連結可能である。
【００３３】
即ち、板厚の相違する複数のブラケット４が用いられる場合や、ブラケット４の板厚にばらつきがあるような場合であっても、ブラケット４の板厚に対応する幅に調整されたキー部材２０に変更するだけで対応可能である。よって、ブラケット部材１０を共通化することができるため、部材の管理コストを低減できる。
【００３４】
以下、調整ブラケット１００の作用について説明する。
【００３５】
構造物１は、地震などによって振動すると、左右の柱２が傾斜し、下側の梁３と上側の梁３とが左右に相対移動して歪むこととなる。このとき、制振ダンパ５では、構造物１の歪みによる対角距離の拡縮に応じて、シリンダ６に対してピストンロッド７が進退する。これにより、構造物１の振動は、シリンダ６に封入された粘性流体によって減衰され、エネルギが吸収されることとなる。
【００３６】
構造物１の振動に伴い、調整ブラケット１００と制振ダンパ５との間には、引張荷重と圧縮荷重とが順番に作用する。
【００３７】
調整ブラケット１００と制振ダンパ５との間に圧縮荷重が作用する場合には、構造物１のブラケット４によって、平板挟持部１２が制振ダンパ５に向けて押圧される。平板挟持部１２とブラケット４との間は摩擦接合されているため、ブラケット４から平板挟持部１２に伝達された圧縮荷重は、平板挟持部１２とブラケット４との間の摩擦力によって制振ダンパ５に伝達されることとなる。
【００３８】
また、ブラケット４から平板挟持部１２に伝達された圧縮荷重は、平板挟持部１２からフランジ取付部１１に伝達される。これにより、フランジ取付部１１がフランジ部８に向けて押圧されることとなる。制振ダンパ５のフランジ部８と調整ブラケット１００のフランジ取付部１１とは面接触しているため、構造物１の振動によってブラケット４から作用する圧縮荷重を面で受けることができる。
【００３９】
したがって、圧縮荷重は調整ブラケット１００を介して制振ダンパ５に伝達されて、制振ダンパ５は収縮することとなる。
【００４０】
一方、調整ブラケット１００と制振ダンパ５との間に引張荷重が作用する場合には、構造物１のブラケット４によって、平板挟持部１２が構造物１に向けて引っ張られる。平板挟持部１２とブラケット４との間は摩擦接合されているため、ブラケット４から平板挟持部１２に作用する引張荷重は、平板挟持部１２とブラケット４との間の摩擦力によって制振ダンパ５に伝達されることとなる。
【００４１】
また、ブラケット４から平板挟持部１２に作用する引張荷重は、平板挟持部１２を介してフランジ取付部１１に伝達される。フランジ取付部１１には、締結されたボルト１７を介して引張荷重が作用する。
【００４２】
したがって、引張荷重は調整ブラケット１００を介して制振ダンパ５に伝達されて、制振ダンパ５は伸張することとなる。
【００４３】
このとき、一対のフランジ取付部１１の相互間には、対向面１１ｂどうしが互いに近接する方向の荷重が作用する。ブラケット４を狭持する一対の平板挟持部１２には、ブラケット４の端面４ａを支点とした曲げ荷重が作用するおそれがある。この曲げ荷重に対応するためには、平板挟持部１２の板厚を厚くする必要がある。
【００４４】
調整ブラケット１００では、一対のフランジ取付部１１の相互間にキー部材２０が狭持されるため、フランジ取付部１１の対向面１１ｂどうしが互いに近接する方向の荷重を、キー部材２０が支持する。よって、キー部材２０によって一対のフランジ取付部１１の相互間の間隔が維持されるため、平板挟持部１２に曲げ荷重が作用することを防止できる。このとき、平板挟持部１２の板厚を厚くする必要が無いため、材料コストを低減することができる。
【００４５】
以上の実施の形態によれば、以下に示す効果を奏する。
【００４６】
構造物１のブラケット４を挟持する平板挟持部１２と、制振ダンパ５のフランジ部８に取り付けられるフランジ取付部１１とを備える一対のブラケット部材１０によって、構造物１と制振ダンパ５とが連結される。
【００４７】
一対のブラケット部材１０の間には、キー部材２０が挟持される。よって、キー部材２０の幅をブラケット４の厚さに応じて変更することで、平板挟持部１２の相互間隔をブラケット４の厚さと同一に調整することができる。したがって、ブラケット４を有する構造物１とフランジ部８を有する制振ダンパ５とを、ブラケット４の厚さにかかわらず連結可能となる。
【００４８】
また、構造物１が振動によって歪んだときに、ブラケット４から平板挟持部１２に引張荷重が作用する。このとき、一対のフランジ取付部１１の相互間には、対向面１１ｂどうしが互いに近接する方向の荷重が作用する。そのため、ブラケット４を狭持する一対の平板挟持部１２には、ブラケット４の端面４ａを支点とした曲げ荷重が作用するおそれがある。
【００４９】
これに対して、調整ブラケット１００では、一対のフランジ取付部１１の相互間にキー部材２０が狭持される。そのため、構造物１が振動によって歪んだときに、ブラケット４から平板挟持部１２に引張荷重が作用することによるフランジ取付部１１の対向面１１ｂどうしが互いに近接する方向の荷重は、キー部材２０によって支持される。よって、キー部材２０によって一対のフランジ取付部１１の相互間の間隔が維持されるため、平板挟持部１２に曲げ荷重が作用することを防止できる。このとき、平板挟持部１２の板厚を厚くする必要が無いため、材料コストを低減することができる。
【００５０】
次に、図５を参照して、本発明の変形例に係る調整ブラケット１０１について説明する。図５では、ブラケット４と平板挟持部１２とを締結するためのボルト１８を省略している。
【００５１】
調整ブラケット１０１は、一対のブラケット部材１０におけるフランジ取付部１１の当接面１１ａが当接してフランジ取付部１１を同一平面上に固定する固定板３０を更に備える。
【００５２】
固定板３０は、一対のフランジ取付部１１における当接面１１ａの略全面と同一の形状に形成され、その全面でフランジ取付部１１と当接する。固定板３０は、複数のビス３１が締結されることによってフランジ取付部１１に固定される。
【００５３】
固定板３０には、フランジ取付部１１と同じように、キー部材２０が、締結されるビス３１によって固定される。これにより、キー部材２０がその長さ方向に移動して一対のブラケット部材１０の間から抜け落ちることが防止される。
【００５４】
このように、固定板３０を設けることによって、構造物１と制振ダンパ５との間に調整ブラケット１０１が取り付けられる前に、一対のブラケット部材１０とキー部材２０とを一体にしておくことが可能となるため、作業効率を向上することができる。
【００５５】
本発明は上記の実施の形態に限定されずに、その技術的な思想の範囲内において種々の変更がなしうることは明白である。
【００５６】
例えば、上記の実施の形態では、調整ブラケット１００は、構造物１のブラケット４と制振ダンパ５のフランジ部８とを連結するものである。調整ブラケット１００は、この他にも、平板部を有する第一部材と、平板部の端面に臨むフランジ部を有する第二部材とであれば、どのような部材であっても連結することが可能である。
【産業上の利用可能性】
【００５７】
本発明は、平板部を有する第一部材と、平板部の端面に臨むフランジ部を有する第二部材との連結に利用することができる。
【符号の説明】
【００５８】
１００  調整ブラケット
１      構造物（第一部材）
４      ブラケット（平板部）
４ａ    端面
５      制振ダンパ（第二部材）
８      フランジ部
８ａ    当接面
１０    ブラケット部材
１１    フランジ取付部
１１ａ  当接面
１１ｂ  対向面
１２    平板挟持部
１３    キー溝部
２０    キー部材
３０    固定板
１０１  調整ブラケット
【図１】
2012202155.tif 000003
【図２】
2012202155.tif 000004
【図３】
2012202155.tif 000005
【図４】
2012202155.tif 000006
【図５】
2012202155.tif 000007